【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
ポンプ装置の中に流体を導入することと、
弁シーケンスにしたがって該ポンプ装置の弁システムを操作して、分注サイクルを実装することであって、該弁シーケンスは、該ポンプ装置を通る流路が閉鎖される時間を最小にするように構成されることと、
該ポンプ装置から流体を分注することと
を含む、方法。
【請求項２】
前記弁システムは、
供給チャンバに結合された入口弁と、
該供給チャンバとフィルタとの間の隔離弁と、
該フィルタ、および前記ポンプ装置の外部領域に結合された排出弁と、
該フィルタと分注チャンバとの間の遮断弁と、
該分注チャンバおよび該ポンプ装置の外部領域に結合されたパージ弁と
を含む、請求項１に記載の方法。
【請求項３】
前記分注サイクルは、排出区分を含み、該排出区分のための前記弁システムを操作することは、前記隔離弁を閉鎖し、次いで前記遮断弁を閉鎖し、次いで前記入口弁を閉鎖し、次いで前記排出弁を開放することを含む、請求項２に記載の方法。
【請求項４】
充填モータおよび分注モータを操作し、前記流体を濾過することをさらに含み、該充填モータおよび該分注モータは、前記入口弁の閉鎖後かつ前記排出弁の開放前に操作され、前記排出区分後に、前記遮断弁を閉鎖し、次いで前記隔離弁を閉鎖し、次いで該排出弁を閉鎖し、該充填モータは、該排出弁の開放後かつ該排出弁の閉鎖前に操作される、請求項３に記載の方法。
【請求項５】
前記分注サイクルは、パージ区分を含み、該パージ区分のための前記弁システムを操作することは、前記入口弁を開放し、次いで前記パージ弁を開放し、該パージ区分後に、該パージ弁を閉鎖し、次いで該入口弁を閉鎖することをさらに含み、前記分注モータは、該パージ弁の開放後かつ該パージ弁の閉鎖前に操作される、請求項４に記載の方法。
【請求項６】
前記分注サイクルは、充填区分および分注区分を含み、該充填区分および該分注区分のために前記弁システムを操作することは、前記入口弁を開放し、次いで前記出口弁を開放し、該分注区分の後に、該出口弁を閉鎖することを含み、前記充填モータは該入口弁を開放した後で操作され、前記分注モータは該出口弁を閉鎖する前に操作される、請求項５に記載の方法。
【請求項７】
前記分注サイクルは、パージ区分を含み、該パージ区分のために前記弁システムを操作することは、前記入口弁を開放し、次いで前記パージ弁を開放することを含み、該パージ区分後に、該パージ弁を閉鎖し、次いで該入口弁を閉鎖することを含み、前記分注モータは、該パージ弁の開放後かつ該パージ弁の閉鎖前の該パージ区分の間に操作される、請求項２に記載の方法。
【請求項８】
前記分注サイクルは、充填区分および分注区分を含み、該充填区分および該分注区分のために前記弁システムを操作することは、前記入口弁を開放し、次いで前記出口弁を開放し、該分注区分の後で該出口弁を閉鎖することを含み、前記充填モータは該入口弁を開放した後に操作され、前記分注モータは該出口弁を閉鎖する前に操作される、請求項７に記載の方法。
【請求項９】
前記分注サイクルは、充填区分および分注区分を含み、該充填区分および該分注区分のために前記弁システムを操作することは、前記入口弁を開放し、次いで前記出口弁を開放し、該分注区分後に該出口弁を閉鎖することを含み、前記充填モータは、該入口弁開放後に操作され、前記分注モータは、該出口弁閉鎖前に操作される、請求項２に記載の方法。
【請求項１０】
前記分注サイクルは、排出区分を含み、該排出区分のために前記弁システムを操作することは、前記隔離弁を閉鎖し、次いで前記遮断弁を閉鎖し、次いで前記入口弁を閉鎖し、次いで前記排出弁を開放し、充填モータおよび分注モータを操作し、前記流体を濾過することすることを含み、該充填モータおよび分注モータは、該入口弁の閉鎖後かつ該排出弁の開放前に操作され、該排出区分後に、該遮断弁を閉鎖し、次いで該隔離弁を閉鎖し、次いで該排出弁を閉鎖することをさらに含み、該充填モータは、該排出弁の開放後、かつ該排出弁の閉鎖前に操作される、請求項９に記載の方法。
【請求項１１】
前記分注サイクルは、パージ区分を含み、該パージ区分のために前記弁システムを操作することは、前記入口弁を開放し、次いで前記パージ弁を開放することを含み、該パージ区分後に、該パージ弁を閉鎖し、該入口弁を閉鎖することを含み、該分注モータは、該パージ弁の開放後かつ該パージ弁の閉鎖前の該パージ区分の間に操作される、請求項１０に記載の方法。
【請求項１２】
ポンプ装置であって、供給チャンバと、分注チャンバと、該ポンプ装置を通る流体の流れを調整するように操作し得る弁システムとを含む、ポンプ装置と、
該ポンプ装置のための分注サイクルを実装するように構成された制御装置であって、
該分注サイクルを実装することは、弁シーケンスにしたがって該弁システムの開閉を調整し、該ポンプ装置から流体を分注することを含み、該弁シーケンスは、該ポンプ装置を通る流体流路が閉鎖される時間を最小にするように構成される、制御装置と
を含む、システム。
【請求項１３】
前記弁システムは、
供給チャンバに結合された入口弁と、
該供給チャンバとフィルタとの間の隔離弁と、
該フィルタおよび前記ポンプ装置の外部領域に結合された排出弁と、
該フィルタと分注チャンバとの間の遮断弁と、
該分注チャンバおよび該ポンプ装置の外部領域に結合されたパージ弁と
を含む、請求項１２に記載のシステム。
【請求項１４】
前記分注サイクルは、排出区分を含み、該排出区分のために前記弁システムを調整することは、前記隔離弁を閉鎖し、次いで前記遮断弁を閉鎖し、次いで前記入口弁を閉鎖し、次いで前記排出弁を開放するように操作し得る１つ以上の信号を送信することを含む、請求項１３に記載のシステム。
【請求項１５】
充填モータおよび分注モータをさらに含み、前記分注サイクルは、前記流体を濾過するために、前記入口弁を閉鎖後かつ前記排出弁を開放前に、該充填モータおよび該分注モータを操作することを含み、前記排出区分後に前記弁システムを調整することは、前記遮断弁を閉鎖し、次いで前記隔離弁を閉鎖し、次いで前記排出弁を閉鎖するように操作し得る１つ以上の信号を送信することを含み、該充填モータは、該排出弁開放後かつ該排出弁閉鎖後に操作される、請求項１４に記載のシステム。
【請求項１６】
前記分注サイクルは、パージ区分を含み、該パージ区分のために前記弁システムを調整することは、前記入口弁を開放し、次いで前記パージ弁を開放するように操作し得る１つ以上の信号を送信し、該パージ区分後に、該パージ弁を閉鎖し、次いで該入口弁を閉鎖することを含み、該分注モータは、該パージ弁開放後かつ該パージ弁閉鎖前の該パージ区分の間に、操作される、請求項１５に記載のシステム。
【請求項１７】
前記分注サイクルは、充填区分および分注区分を含み、該充填区分および該分注区分のための前記弁システムを調整することは、前記入口弁を開放し、次いで前記出口弁を開放するように操作し得る１つ以上の信号を送信することを含み、該弁システムを調整することは、該分注区分後に、該出口弁を閉鎖するように操作し得る１つ以上の信号を送信することを含み、前記充填モータは、該入口弁開放後に操作され、前記分注モータは、該出口弁閉鎖前に操作される、請求項１６に記載のシステム。
【請求項１８】
前記分注サイクルは、パージ区分を含み、該パージ区分のために前記弁システムを調整することは、前記入口弁を開放し、次いで前記パージ弁を開放するように操作し得る１つ以上の信号を送信することを含み、該弁システムを調節することは、該パージ区分後、該パージ弁を閉鎖し、次いで該入口弁を閉鎖するように操作し得る１つ以上の信号を送信することを含み、前記分注モータは、該パージ弁の開放後かつ該パージ弁の開放前の該パージ区分の間に操作される、請求項１３に記載のシステム。
【請求項１９】
前記分注サイクルは、充填区分および分注区分を含み、該充填区分および該分注区分のために前記弁システムを調整することは、前記入口弁を開放し、次いで前記出口弁を開放するように操作し得る１つ以上の信号を送信することを含み、前記弁システムを調整することは、該分注区分後に、該出口弁を閉鎖するように操作し得る１つ以上の信号を送信することを含み、前記充填モータは、該入口弁開放後に操作され、前記分注モータは、該出口弁閉鎖前に操作される、請求項１８に記載のシステム。
【請求項２０】
前記分注サイクルは、充填区分および分注区分を含み、該充填区分および該分注区分のために前記弁システムを調整することは、前記入口弁を開放し、次いで前記出口弁を開放するように操作し得る１つ以上の信号を送信することを含み、該弁システムを調整することは、該分注区分後に、前記出口弁を閉鎖するように操作し得る１つ以上の信号を送信することを含み、前記充填モータは、該入口弁開放後に操作され、前記分注モータは、該出口弁閉鎖前に操作される、請求項１３に記載のシステム。
【請求項２１】
前記分注サイクルは、排出区分を含み、該排出区分のために前記弁システムを調整することは、前記隔離弁を閉鎖し、次いで前記遮断弁を閉鎖し、次いで前記入口弁を閉鎖し、次いで前記排出弁を開放するように操作し得る１つ以上の信号を送信することを含み、該分注サイクルは、充填モータおよび分注モータを操作し、前記流体を濾過することを含み、該充填モータおよび該分注モータは、該入口弁閉鎖後かつ該排出弁開放前に操作され、該排出区分後に、該遮断弁を閉鎖し、次いで該隔離弁を閉鎖し、次いで該排出弁を閉鎖するように操作し得る１つ以上の信号を送信することを含み、該充填モータは、該排出弁開放後かつ該開放弁閉鎖前に操作される、請求項２０に記載のシステム。
【請求項２２】
前記分注サイクルは、パージ区分を含み、該パージ区分のために前記弁システムを調整することは、前記入口弁を開放し、次いで前記パージ弁を開放するように操作し得る１つ以上の信号を送信することを含み、該弁システムを調整することは、該パージ区分後に、該パージ弁を閉鎖し、次いで前記入口弁を閉鎖するように操作し得る１つ以上の信号を送信することを含み、前記分注モータは、該パージ弁開放後かつ該パージ弁閉鎖前の該パージ区分の間に操作される、請求項２１に記載のシステム。